【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
有価価値を特定可能な情報が記録された遊技者所有の記録媒体を受付けて、該受付けた記録媒体から特定される有価価値を使用して遊技を可能にするための処理を行なう遊技用装置であって、
遊技者による前記有価価値の引落要求があったことを検出する引落要求検出手段と、
該引落要求検出手段が前記引落要求の操作を検出したときに、前記記録媒体により特定される有価価値から引落とされた引落有価価値の大きさに相当する遊技媒体を使用した遊技を可能にするための処理をする処理手段と、
該処理手段により遊技に使用可能とされた遊技媒体の数と遊技において発生した入賞に伴なって付与された遊技媒体の数との加算値と、遊技に使用された遊技媒体の数との差を算出する算出手段と、
該算出手段の算出値が所定値より大きいか否かを判定する判定手段と、
該判定手段により前記算出手段の算出値が所定値より大きいと判定されたときに、前記処理手段による処理を不能動化する不能動化手段と、
該不能動化手段によって前記処理手段による処理が不能動化されている不能動状態期間に前記引落要求検出手段が前記引落要求の操作を検出したときに、その旨を報知する報知手段とを含むことを特徴とする、遊技用装置。
【請求項２】
有価価値を特定可能な情報が記録された遊技者所有の記録媒体を受付けて、該受付けた記録媒体から特定される有価価値を使用して遊技を可能にするための処理を行う遊技用装置であって、
遊技者による前記有価価値の引落要求があったことを検出する引落要求検出手段と、
該引落要求検出手段が前記引落要求の操作を検出したときに、前記記録媒体により特定される有価価値から引落とされた引落有価価値の大きさに相当する遊技媒体を使用した遊技を可能にするための処理をする処理手段と、
前記処理手段により遊技に使用可能とされた遊技媒体の数と遊技において発生した入賞に伴なって付与された遊技媒体の数との加算値と、遊技に使用された遊技媒体の数との差を算出する算出手段と、
該算出手段の算出値が所定値より大きいか否かを判定する判定手段と、
該判定手段により前記算出手段の算出値が所定値より大きいと判定されたときに、前記処理手段による処理を不能動化する不能動化手段と、
前記算出手段の算出値を格納するカウンタと、
前記処理手段による処理の実行からの時間を計時するタイマと、
該タイマが所定時間を計時したときに前記カウンタの値をクリアするクリア手段とを含むことを特徴とする、遊技用装置。
【手続補正２】
【補正対象書類名】明細書
【補正対象項目名】０００１
【補正方法】変更
【補正の内容】
【０００１】
【発明の属する技術分野】
本発明は、遊技用装置に関し、詳しくは、有価価値を特定可能な情報が記録された遊技者所有の記録媒体を受付けて、該受付けた記録媒体から特定される有価価値を使用して遊技を可能にするための処理を行なう遊技用装置に関する。
【手続補正３】
【補正対象書類名】明細書
【補正対象項目名】０００２
【補正方法】変更
【補正の内容】
【０００２】
【従来の技術】
この種の遊技用装置として従来から一般的に知られているものに、たとえば、有価価値を特定可能な情報が記録された遊技者所有の記録媒体を受付けて、該受付けた記録媒体から特定される有価価値を使用して遊技を可能にするための処理を行なう遊技用装置があった。そして、たとえば遊技者が所定の前記有価価値の引落操作を行なうと前記有価価値から所定の大きさの引落有価価値が減算更新され、当該引落有価価値の大きさに相当する遊技媒体を用いた前記遊技機における遊技が可能となるように構成されていた。
【手続補正４】
【補正対象書類名】明細書
【補正対象項目名】０００７
【補正方法】変更
【補正の内容】
【０００７】
【課題を解決するための手段】
請求項１に記載の本発明は、有価価値を特定可能な情報が記録された遊技者所有の記録媒体を受付けて、該受付けた記録媒体から特定される有価価値を使用して遊技を可能にするための処理を行なう遊技用装置であって、
遊技者による前記有価価値の引落要求があったことを検出する引落要求検出手段と、
該引落要求検出手段が前記引落要求の操作を検出したときに、前記記録媒体により特定される有価価値から引落とされた引落有価価値の大きさに相当する遊技媒体を使用した遊技を可能にするための処理をする処理手段と、
該処理手段により遊技に使用可能とされた遊技媒体の数と遊技において発生した入賞に伴なって付与された遊技媒体の数との加算値と、遊技に使用された遊技媒体の数との差を算出する算出手段と、
該算出手段の算出値が所定値より大きいか否かを判定する判定手段と、
該判定手段により前記算出手段の算出値が所定値より大きいと判定されたときに、前記処理手段による処理を不能動化する不能動化手段と、
該不能動化手段によって前記処理手段による処理が不能動化されている不能動状態期間に前記引落要求検出手段が前記引落要求の操作を検出したときに、その旨を報知する報知手段とを含むことを特徴とする。
【手続補正５】
【補正対象書類名】明細書
【補正対象項目名】０００８
【補正方法】変更
【補正の内容】
【０００８】
請求項２に記載の本発明は、有価価値を特定可能な情報が記録された遊技者所有の記録媒体を受付けて、該受付けた記録媒体から特定される有価価値を使用して遊技を可能にするための処理を行う遊技用装置であって、
遊技者による前記有価価値の引落要求があったことを検出する引落要求検出手段と、
該引落要求検出手段が前記引落要求の操作を検出したときに、前記記録媒体により特定される有価価値から引落とされた引落有価価値の大きさに相当する遊技媒体を使用した遊技を可能にするための処理をする処理手段と、
前記処理手段により遊技に使用可能とされた遊技媒体の数と遊技において発生した入賞に伴なって付与された遊技媒体の数との加算値と、遊技に使用された遊技媒体の数との差を算出する算出手段と、
該算出手段の算出値が所定値より大きいか否かを判定する判定手段と、
該判定手段により前記算出手段の算出値が所定値より大きいと判定されたときに、前記処理手段による処理を不能動化する不能動化手段と、
前記算出手段の算出値を格納するカウンタと、
前記処理手段による処理の実行からの時間を計時するタイマと、
該タイマが所定時間を計時したときに前記カウンタの値をクリアするクリア手段とを含むことを特徴とする。
【手続補正６】
【補正対象書類名】明細書
【補正対象項目名】０００９
【補正方法】変更
【補正の内容】
【０００９】
【作用】
請求項１に記載の本発明によれば、引落要求検出手段の働きにより、遊技者による前記有価価値の引落要求があったことが検出される。該引落要求検出手段が前記引落要求の操作を検出したときに、処理手段の働きにより、前記記録媒体により特定される有価価値から引落とされた引落有価価値の大きさに相当する遊技媒体を使用した遊技を可能にするための処理がなされる。算出手段の働きにより、該処理手段により遊技に使用可能とされた遊技媒体の数と遊技において発生した入賞に伴なって付与された遊技媒体の数との加算値と、遊技に使用された遊技媒体の数との差が算出される。判定手段の働きにより、前記算出手段の算出値が所定値より大きいか否かが判定される。不能動化手段の働きにより、前記判定手段により前記算出手段の算出値が所定値より大きいと判定されたときに、前記処理手段による処理が不能動化される。該不能動化手段によって前記処理手段による処理が不能動化されている不能動状態期間に前記引落要求検出手段が前記引落要求の操作を検出したときに、報知手段の働きにより、その旨が報知される。
【手続補正７】
【補正対象書類名】明細書
【補正対象項目名】００１０
【補正方法】変更
【補正の内容】
【００１０】
請求項２に記載の本発明によれば、引落要求検出手段の働きにより、遊技者による前記有価価値の引落要求があったことが検出される。該引落要求検出手段が前記引落要求の操作を検出したときに、処理手段の働きにより、前記記録媒体により特定される有価価値から引落とされた引落有価価値の大きさに相当する遊技媒体を使用した遊技を可能にするための処理がなされる。算出手段の働きにより、該処理手段により遊技に使用可能とされた遊技媒体の数と遊技において発生した入賞に伴なって付与された遊技媒体の数との加算値と、遊技に使用された遊技媒体の数との差が算出される。判定手段の働きにより、前記算出手段の算出値が所定値より大きいか否かが判定される。不能動化手段の働きにより、前記判定手段により前記算出手段の算出値が所定値より大きいと判定されたときに、前記処理手段による処理が不能動化される。カウンタの働きにより、前記算出手段の算出値が格納される。クリア手段の働きにより、前記タイマが所定時間を計時したときに前記カウンタの値がクリアされる。
【手続補正８】
【補正対象書類名】明細書
【補正対象項目名】０１０８
【補正方法】変更
【補正の内容】
【０１０８】
【課題を解決するための手段の具体例の効果】
請求項１に関しては、処理手段により遊技に使用可能とされた遊技媒体の数と遊技において発生した入賞に伴なって付与された遊技媒体の数との加算値と、遊技に使用された遊技媒体の数との差が所定値より大きいと判定されたときに、前記処理手段による処理が不能動化されるために、遊技者が前記引落有価価値を引落した後、遊技をほとんど行なうことなく繰返し連続して前記引落有価価値を引落すような行為を阻止でき、これにより、偽造された記録媒体の有価価値のすべてを金品などと交換する目的で使用する不正行為を極力防止できる。また、前記処理手段による処理が不能動化されている不能動状態期間に前記引落要求の操作が検出されたときに、その旨が報知されるために、偽造された記録媒体を使用する不正行為が行なわれていることを容易に発見できる。
【手続補正９】
【補正対象書類名】明細書
【補正対象項目名】０１０９
【補正方法】変更
【補正の内容】
【０１０９】
請求項２に関しては、処理手段により遊技に使用可能とされた遊技媒体の数と遊技において発生した入賞に伴なって付与された遊技媒体の数との加算値と、遊技に使用された遊技媒体の数との差が所定値より大きいと判定されたときに、前記処理手段による処理が不能動化されるために、遊技者が前記引落有価価値を引落した後、遊技をほとんど行なうことなく繰返し連続して前記引落有価価値を引落すような行為を阻止でき、これにより、偽造された記録媒体の有価価値のすべてを金品などと交換する目的で使用する不正行為を極力防止できる。また、タイマが所定時間を計時したときに判定手段が判定に用いる算出手段の算出値を格納するカウンタの値がクリアされるために、偽造記録媒体ではない正規の記録媒体を用いて遊技者が遊技している中でたまたま算出手段の算出値が所定値より大きくなってしまった場合でも、前記処理手段による処理が不能動化された状態が所定時間を過ぎれば解除される。その結果、偽造記録媒体ではない正規の記録媒体を用いて遊技をする遊技者に極力迷惑を与えないようにすることができる。一方、偽造記録媒体を用いた不正行為を行なうものは、前記所定時間を待つことなく繰返し連続して引落要求の操作を行なうと考えられるため、このようにタイマを設けた場合であっても、不正行為を効果的に防止できる。